(57)【要約】  ワイヤレス通信のための方法および装置が、識別された各モバイル通信用グローバルシステム(GSM(登録商標))セルに対して、同期チャネル(SCH)タイミングを記憶する。記憶されたSCHタイミングは、周波数補正チャネル(FCCH)トーン検出および最初の基地局識別コード(BSIC)確認なしで、識別されたGSM(登録商標)セルに対して基地局識別コード(BSIC)再確認を行うために使用される。記憶されたSCHタイミングは、複数のユーザ機器(UE)状態にわたって維持される。
2016532353.tif 000002
【特許請求の範囲】
【請求項１】
ワイヤレス通信の方法であって、
識別された各モバイル通信用グローバルシステム(GSM(登録商標))セルに対して、同期チャネル(SCH)タイミングを記憶するステップと、
周波数補正チャネル(FCCH)トーン検出および最初の基地局識別コード(BSIC)確認なしで、識別されたGSM(登録商標)セルに対して前記記憶されたSCHタイミングを使用してBSIC再確認を行うステップと、
複数のユーザ機器(UE)状態にわたって前記記憶されたSCHタイミングを維持するステップと
を含む、方法。
【請求項２】
選択されたGSM(登録商標)セルに対してBSIC再確認が失敗するとき、前記選択されたGSM(登録商標)セルに対して記憶されたSCHタイミングをクリアするステップをさらに含む、請求項1に記載の方法。
【請求項３】
前記タイミングが、各識別されたGSM(登録商標)セルと、第2のRATのセル、UE内部タイミング、または全地球測位システム(GPS)タイミングのうちの相対的タイミングのうちの1つとの間の相対的タイミングを含む、請求項1に記載の方法。
【請求項４】
アイドルタイムスロットをスケジュールするために前記記憶されたSCHタイミング情報を使用することによって、非ブラインド周波数補正チャネル(FCCH)トーン検出を行うステップをさらに含む、請求項1に記載の方法。
【請求項５】
前記UE状態が、アイドルモード、ページングチャネル(PCH)モード、順方向アクセスチャネル(FACH)モード、専用チャネル(DCH)状態、および電源オフのうちの少なくとも1つを含む、請求項1に記載の方法。
【請求項６】
ワイヤレス通信のための装置であって、
識別された各モバイル通信用グローバルシステム(GSM(登録商標))セルに対して、同期チャネル(SCH)タイミングを記憶するための手段と、
周波数補正チャネル(FCCH)トーン検出および最初の基地局識別コード(BSIC)確認なしで、識別されたGSM(登録商標)セルに対して前記記憶されたSCHタイミングを使用してBSIC再確認を行うための手段と、
複数のユーザ機器(UE)状態にわたって前記記憶されたSCHタイミングを維持するための手段と
を含む、装置。
【請求項７】
選択されたGSM(登録商標)セルに対してBSIC再確認が失敗するとき、前記選択されたGSM(登録商標)セルに対して記憶されたSCHタイミングをクリアするための手段をさらに含む、請求項6に記載の装置。
【請求項８】
前記タイミングが、各識別されたGSM(登録商標)セルと、第2のRATのセル、UE内部タイミング、または全地球測位システム(GPS)タイミングのうちの1つとの間の相対的タイミングを含む、請求項6に記載の装置。
【請求項９】
アイドルタイムスロットをスケジュールするために前記記憶されたSCHタイミング情報を使用することによって、非ブラインド周波数補正チャネル(FCCH)トーン検出を行うための手段をさらに含む、請求項6に記載の装置。
【請求項１０】
前記UE状態が、アイドルモード、ページングチャネル(PCH)モード、順方向アクセスチャネル(FACH)モード、専用チャネル(DCH)状態、および電源オフのうちの少なくとも1つを含む、請求項6に記載の装置。
【請求項１１】
ワイヤレスネットワークにおけるワイヤレス通信のためのコンピュータプログラムであって、
前記コンピュータプログラムが非一時的コンピュータ可読媒体に記憶されたプログラムコードを含み、前記プログラムコードが、
識別された各モバイル通信用グローバルシステム(GSM(登録商標))セルに対して、同期チャネル(SCH)タイミングを記憶するためのプログラムコードと、
周波数補正チャネル(FCCH)トーン検出および最初の基地局識別コード(BSIC)確認なしで、識別されたGSM(登録商標)セルに対して前記記憶されたSCHタイミングを使用してBSIC再確認を行うためのプログラムコードと、
複数のユーザ機器(UE)状態にわたって前記記憶されたSCHタイミングを維持するためのプログラムコードと
を含む、コンピュータプログラム。
【請求項１２】
選択されたGSM(登録商標)セルに対してBSIC再確認が失敗するとき、前記選択されたGSM(登録商標)セルに対して記憶されたSCHタイミングをクリアするためのプログラムコードをさらに含む、請求項11に記載のコンピュータプログラム。
【請求項１３】
前記タイミングが、各識別されたGSM(登録商標)セルと、第2のRATのセル、UE内部タイミング、または全地球測位システム(GPS)タイミングのうちの1つとの間の相対的タイミングを含む、請求項11に記載のコンピュータプログラム。
【請求項１４】
アイドルタイムスロットをスケジュールするために前記記憶されたSCHタイミング情報を使用することによって、非ブラインド周波数補正チャネル(FCCH)トーン検出を行うためのプログラムコードをさらに含む、請求項11に記載のコンピュータプログラム。
【請求項１５】
前記UE状態が、アイドルモード、ページングチャネル(PCH)モード、順方向アクセスチャネル(FACH)モード、専用チャネル(DCH)状態、および電源オフのうちの少なくとも1つを含む、請求項11に記載のコンピュータプログラム。
【請求項１６】
ワイヤレス通信のための装置であって、
メモリと、
前記メモリに結合された少なくとも1つのプロセッサとを含み、前記少なくとも1つのプロセッサが、
識別された各モバイル通信用グローバルシステム(GSM(登録商標))セルに対して、同期チャネル(SCH)タイミングを記憶し、
周波数補正チャネル(FCCH)トーン検出および最初の基地局識別コード(BSIC)確認なしで、識別されたGSM(登録商標)セルに対して前記記憶されたSCHタイミングを使用してBSIC再確認を行い、
複数のユーザ機器(UE)状態にわたって前記記憶されたSCHタイミングを維持する
ように構成された、装置。
【請求項１７】
前記少なくとも1つのプロセッサが、選択されたGSM(登録商標)セルに対してBSIC再確認が失敗するとき、前記選択されたGSM(登録商標)セルに対して記憶されたSCHタイミングをクリアするようにさらに構成された、請求項16に記載の装置。
【請求項１８】
前記タイミングが、各識別されたGSM(登録商標)セルと、第2のRATのセル、UE内部タイミング、または全地球測位システム(GPS)タイミングのうちの1つとの間の相対的タイミングを含む、請求項16に記載の装置。
【請求項１９】
前記少なくとも1つのプロセッサが、アイドルタイムスロットをスケジュールするために前記記憶されたSCHタイミング情報を使用することによって、非ブラインド周波数補正チャネル(FCCH)トーン検出を行うようにさらに構成された、請求項16に記載の装置。
【請求項２０】
前記UE状態が、アイドルモード、ページングチャネル(PCH)モード、順方向アクセスチャネル(FACH)モード、専用チャネル(DCH)状態、および電源オフのうちの少なくとも1つを含む、請求項16に記載の装置。
【発明の詳細な説明】
【技術分野】
【０００１】
本開示の態様は、概してワイヤレス通信システムに関し、より詳細には、基地局識別コード(BSIC)再確認手続きに、記憶されたタイミング情報を利用することに関する。
【背景技術】
【０００２】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、Universal Terrestrial Radio Access Network(UTRAN)である。UTRANは、第3世代パートナーシッププロジェクト(3GPP)によってサポートされる第3世代(3G)モバイルフォン技術である、ユニバーサルモバイル通信システム(UMTS)の一部として定義される無線アクセスネットワーク(RAN)である。UMTSは、モバイル通信用グローバルシステム(GSM(登録商標))技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。たとえば、中国は、既存のGSM(登録商標)インフラストラクチャをコアネットワークとして、UTRANアーキテクチャにおいて基礎となるエアインターフェースとしてTD-SCDMAを推進している。UMTSは、関連するUMTSネットワークのデータ転送の速度および容量を向上させる高速パケットアクセス(HSPA)のような拡張3Gデータ通信プロトコルもサポートする。HSPAは、2つのモバイルテレフォニープロトコル、すなわち高速ダウンリンクパケットアクセス(HSDPA)および高速アップリンクパケットアクセス(HSUPA)の集合体であり、これにより、既存の広帯域プロトコルの性能を拡張させるとともに向上させている。
【０００３】
モバイルブロードバンドアクセスに対する要望が増し続けるにつれて、研究開発は、モバイルブロードバンドアクセスに対する高まる要望を満たすためだけでなく、モバイル通信によるユーザ経験を進化させ向上させるためにも、UMTS技術を進化させ続けている。
【発明の概要】
【課題を解決するための手段】
【０００４】
1つの態様では、ワイヤレス通信の方法が開示される。この方法は、識別された各モバイル通信用グローバルシステム(GSM(登録商標))セルに対して、同期チャネル(SCH)タイミングを記憶するステップを含む。基地局識別コード(BSIC)再確認は、周波数補正チャネル(FCCH:frequency correction channel)トーン検出および最初のBSIC確認なしで、識別されたGSM(登録商標)セルに対して記憶されたSCHタイミングを使用して行われる。記憶されたSCHタイミングは、複数のユーザ機器(UE)状態にわたって維持される。
【０００５】
別の態様は、識別された各モバイル通信用グローバルシステム(GSM(登録商標))セルに対して、同期チャネル(SCH)タイミングを記憶するための手段を含んだ装置を開示する。この装置は、周波数補正チャネル(FCCH)トーン検出および最初の基地局識別コード(BSIC)確認なしで、識別されたGSM(登録商標)セルに記憶されたSCHタイミングを使用して、基地局識別コード(BSIC)再確認を行うための手段も含む。この装置は、複数のユーザ機器(UE)状態にわたって記憶されたSCHタイミングを維持するための手段も含む。
【０００６】
別の態様では、非一時的コンピュータ可読媒体を有するワイヤレスネットワークにおけるワイヤレス通信のためのコンピュータプログラム製品が開示される。コンピュータ可読媒体は、非一時的プログラムコードを記録され、プログラムコードはプロセッサによって実行されると、プロセッサに、識別された各モバイル通信用グローバルシステム(GSM(登録商標))セルに対して、同期チャネル(SCH)タイミングを記憶する動作を行わせる。プログラムコードはまた、プロセッサに、周波数補正チャネル(FCCH)トーン検出および最初のBSIC確認なしで、識別されたGSM(登録商標)セルに対して、記憶されたSCHタイミングを使用して、基地局識別コード(BSIC)再確認を行わせる。さらに、プログラムコードはまた、プロセッサに、複数のユーザ機器(UE)状態にわたって記憶されたSCHタイミングを維持させる。
【０００７】
別の態様は、メモリと、メモリに結合された少なくとも1つのプロセッサとを有するワイヤレス通信を開示する。プロセッサは、識別された各モバイル通信用グローバルシステム(GSM(登録商標))セルに対して、同期チャネル(SCH)タイミングを記憶するように構成される。プロセッサはまた、周波数補正チャネル(FCCH)トーン検出および最初のBSIC確認なしで、識別されたGSM(登録商標)セルに対して、記憶されたSCHタイミングを使用して、基地局識別コード(BSIC)再確認を行うように構成される。さらに、プロセッサはまた、複数のユーザ機器(UE)状態にわたって記憶されたSCHタイミングを維持するように構成される。
【０００８】
上記は、続く詳細な説明がより良く理解され得るように、本開示の特徴および技術的な利点を、かなり広く概説したものである。本開示のさらなる特徴および利点は、以下で説明される。本開示と同じ目的を実行するための他の構造を修正または設計するための基礎として本開示が容易に利用され得ることを当業者は諒解されたい。そのような等価な構成は、添付の特許請求の範囲に記載される本開示の教示から逸脱しないことも当業者は認識されたい。本開示の特色をなすと思われる新規の特徴は、その組成と動作方法の両方について、さらなる目的および利点とともに、後続の記述を添付の図との関連で考慮したときによりよく理解されるであろう。しかしながら、図の各々は、例示および説明のみを目的として提供され、本開示の限定を定義するものとして意図されないことを明白に理解されたい。
【０００９】
本開示の特徴、性質、および利点は、同様の参照符号が全体を通して同様に識別する図面と併せると、以下に示す詳細な説明からさらに明らかになるであろう。
【図面の簡単な説明】
【００１０】
【図１】電気通信システムの一例を概念的に示すブロック図である。
【図２】電気通信システムのフレーム構造の一例を概念的に示すブロック図である。
【図３】電気通信システムにおいてUEと通信しているノードBの一例を概念的に示すブロック図である。
【図４】本開示の態様による、ネットワークカバレージエリアを示す図である。
【図５】GSM(登録商標)フレーム周期を示すブロック図である。
【図６】本開示の一態様による、記憶されたBSICタイミング情報を利用するための方法を示すブロック図である。
【図７】本開示の一態様による、処理システムを用いる装置のためのハードウェア実装の一例を示す図である。
【発明を実施するための形態】
【００１１】
添付の図面に関する下記の詳細な説明は、様々な構成の説明として意図されており、本明細書で説明される概念が実行され得る唯一の構成を表すことは意図されていない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１２】
ここで図1を参照すると、電気通信システム100の一例を示すブロック図が示される。本開示全体にわたって提示される様々な概念は、広範な電気通信システム、ネットワークアーキテクチャ、および通信規格にわたって実装され得る。限定されるものではないが、例として、図1に示される本開示の態様は、TD-SCDMA規格を用いるUMTSシステムに関して提示される。この例では、UMTSシステムは、電話、ビデオ、データ、メッセージング、放送、および/または他のサービスを含む様々なワイヤレスサービスを提供する(無線アクセスネットワーク)RAN102(たとえば、UTRAN)を含む。RAN102は、RNC106などの無線ネットワークコントローラ(RNC)によって各々制御される、RNS107など、いくつかの無線ネットワークサブシステム(RNS)に分割され得る。明快にするために、RNC106およびRNS107のみが示されるが、RAN102は、RNC106およびRNS107に加えて、任意の数のRNCおよびRNSを含み得る。RNC106は、とりわけ、RNS107内の無線リソースを割り当て、再構成し、解放することを担う装置である。RNC106は、任意の適切なトランスポートネットワークを使用する、直接の物理接続、仮想ネットワークなど様々なタイプのインターフェースを介して、RAN102中の他のRNC(図示せず)に相互接続され得る。
【００１３】
RNS107によってカバーされる地理的領域は、いくつかのセルに分割されてよく、無線トランシーバ装置が各セルにサービスする。無線トランシーバ装置は、通常、UMTS用途ではノードBと呼ばれるが、当業者によって、基地局(BS)、送受信基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、2つのノードB108が示されているが、RNS107は、任意の数のワイヤレスノードBを含んでもよい。ノードB108は、ワイヤレスアクセスポイントを任意の数のモバイル装置のためのコアネットワーク104に提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の類似の機能デバイスなどがある。モバイル装置は、通常、UMTS用途ではユーザ機器(UE)と呼ばれるが、当業者によって、移動局(MS)、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末(AT)、モバイル端末、ワイヤレス端末、遠隔端末、ハンドセット、端末、ユーザエージェント、モバイルクライアント、クライアント、または何らかの他の適切な用語で呼ばれることもある。説明のために、3つのUE110がノードB108と通信しているように示される。順方向リンクとも呼ばれるダウンリンク(DL)は、ノードBからUEへの通信リンクを指し、逆方向リンクとも呼ばれるアップリンク(UL)は、UEからノードBへの通信リンクを指す。
【００１４】
図示のように、コアネットワーク104は、GSM(登録商標)コアネットワークを含む。しかしながら、当業者が認識するように、GSM(登録商標)ネットワーク以外のタイプのコアネットワークへのアクセスをUEに提供するために、本開示全体にわたって提示される様々な概念を、RANまたは他の適切なアクセスネットワークにおいて実装することができる。
【００１５】
この例では、コアネットワーク104は、モバイル交換センター(MSC)112およびゲートウェイMSC(GMSC)114によって回線交換サービスをサポートする。RNC106などの1つまたは複数のRNCが、MSC112に接続され得る。MSC112は、呼設定、呼ルーティング、およびUEモビリティ機能を制御する装置である。MSC112は、UEがMSC112のカバレージエリア内にある間に加入者関連の情報を格納するビジターロケーションレジスタ(VLR)(図示せず)も含む。GMSC114は、UEが回線交換ネットワーク116にアクセスするためのゲートウェイを、MSC112を通じて提供する。GMSC114は、特定のユーザが加入したサービスの詳細を反映するデータのような加入者データを格納する、ホームロケーションレジスタ(HLR)(図示せず)を含む。HLRは、加入者に固有の認証データを格納する、認証センター(AuC)とも関連付けられている。特定のUEについて、呼が受信されると、GMSC114は、UEの位置を決定するためにHLRに問い合わせ、その位置をサービスする特定のMSCに呼を転送する。
【００１６】
コアネットワーク104はまた、サービングGPRSサポートノード(SGSN)118およびゲートウェイGPRSサポートノード(GGSN)120によって、パケットデータサービスをサポートする。汎用パケット無線サービスを表すGPRSは、標準のGSM(登録商標)回線交換データサービスで可能なものよりも速い速度でパケットデータサービスを提供するよう設計されている。GGSN120は、パケットベースネットワーク122へのRAN102の接続を提供する。パケットベースネットワーク122は、インターネット、プライベートデータネットワーク、または何らかの他の適切なパケットベースネットワークであってもよい。GGSN120の主要機能は、UE110にパケットベースネットワーク接続を提供することである。データパケットは、MSC112が回線交換領域において実行するのと同じ機能をパケットベース領域において主に実行するSGSN118を介して、GGSN120とUE110との間で転送され得る。
【００１７】
UMTSエアインターフェースは、スペクトラム拡散直接シーケンス符号分割多元接続(DS-CDMA)システムである。スペクトラム拡散DS-CDMAは、チップと呼ばれる一連の疑似ランダムビットとの乗算によって、はるかに広い帯域幅にわたってユーザデータを拡散させる。TD-SCDMA規格は、そのような直接シーケンススペクトラム拡散技術に基づいており、さらに、多くの周波数分割複信(FDD)モードのUMTS/W-CDMAシステムにおいて使用されるようなFDDではなく、時分割複信(TDD)を必要とする。TDDは、ノードB108とUE110との間のアップリンク(UL)とダウンリンク(DL)の両方で同じキャリア周波数を使用するが、アップリンク送信およびダウンリンク送信を、キャリア中の異なるタイムスロットへと分割する。
【００１８】
図2は、TD-SCDMAキャリアのフレーム構造200を示している。TD-SCDMAキャリアは、図示のように、長さが10msであるフレーム202を有する。TD-SCDMAのチップレートは、1.28Mcpsである。フレーム202は、2個の5msのサブフレーム204を有し、サブフレーム204の各々は7個のタイムスロット、TS0〜TS6を含む。第1のタイムスロットTS0は通常、ダウンリンク通信のために割り振られ、一方で第2のタイムスロットTS1は通常、アップリンク通信のために割り振られる。残りのタイムスロットTS2〜TS6は、アップリンクまたはダウンリンクのいずれかに使用されてよく、それにより、アップリンク方向またはダウンリンク方向のいずれかでより高速なデータ送信期間のうちの期間におけるフレキシビリティを高めることが可能になる。TS0とTS1との間に、ダウンリンクパイロットタイムスロット(DwPTS)206、ガード期間(GP)208、およびアップリンクパイロットタイムスロット(UpPTS)210(アップリンクパイロットチャネル(UpPCH)とも呼ばれる)が位置する。各タイムスロット、TS0〜TS6により、最大16個のコードチャネルで多重化されたデータ送信が可能になり得る。コードチャネルでのデータ送信は、ミッドアンブル214(144チップの長さを有する)によって分離された2つのデータ部分212(各々は352チップの長さを有する)と、後続するガード期間(GP)216(16チップの長さを有する)とを含む。ミッドアンブル214は、チャネル推定などの機能に使用されてよく、一方でガード期間216はバースト間干渉を回避するために使用されてよい。また、データ部分では、同期シフト(SS)ビット218を含む何らかの層1制御情報が送信される。SSビット218は、データ部分の第2の部分にのみ現れる。ミッドアンブルの直後のSSビット218は、シフトを減らす、シフトを増やす、またはアップロード送信タイミングにおいて何もしない、という3つのケースを示すことができる。SSビット218の位置は一般に、アップリンク通信中には使用されない。
【００１９】
図3は、RAN300においてUE350と通信しているノードB310のブロック図であり、RAN300は図1のRAN102であってよく、ノードB310は図1のノードB108であってよく、UE350は図1のUE110であってよい。ダウンリンク通信では、送信プロセッサ320は、データソース312からデータを受信し、コントローラ/プロセッサ340から制御信号を受信することができる。送信プロセッサ320は、参照信号(たとえばパイロット信号)とともに、データ信号および制御信号のための様々な信号処理機能を提供する。たとえば、送信プロセッサ320は、誤り検出のための巡回冗長検査(CRC)コード、順方向誤り訂正(FEC)を支援するためのコーディングおよびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を、提供することができる。送信プロセッサ320のための、コーディング方式、変調方式、拡散方式および/またはスクランブリング方式を決定するために、チャネルプロセッサ344からのチャネル推定が、コントローラ/プロセッサ340によって使用され得る。これらのチャネル推定は、UE350によって送信される参照信号から、またはUE350からのミッドアンブル214(図2)に含まれるフィードバックから、導出され得る。送信プロセッサ320によって生成されたシンボルは、フレーム構造を作成するために、送信フレームプロセッサ330に与えられる。送信フレームプロセッサ330は、コントローラ/プロセッサ340からのミッドアンブル214(図2)とシンボルとを多重化することによって、このフレーム構造を作成し、一連のフレームが得られる。次いでこれらフレームは送信機332に与えられ、送信機332は、スマートアンテナ334を通じたワイヤレス媒体によるダウンリンク送信のために、増幅、フィルタリング、およびフレームのキャリア上への変調を含む、様々な信号調整機能を提供する。スマートアンテナ334は、ビームステアリング双方向適応アンテナアレイまたは他の同様のビーム技術で実装され得る。
【００２０】
UE350において、受信機354は、アンテナ352を通じてダウンリンク送信を受信し、その送信を処理してキャリア上へ変調されている情報を復元する。受信機354によって復元された情報は、受信フレームプロセッサ360に与えられ、受信フレームプロセッサ360は、各フレームを解析し、ミッドアンブル214(図2)をチャネルプロセッサ394に提供し、データ信号、制御信号、および参照信号を受信プロセッサ370に提供する。受信プロセッサ370は次いで、ノードB310中の送信プロセッサ320によって実行される処理の逆を実行する。より具体的には、受信プロセッサ370は、シンボルを逆スクランブルおよび逆拡散し、次いで変調方式に基づいて、ノードB310によって送信された、最も可能性の高い信号配列点を求める。これらの軟判定は、チャネルプロセッサ394によって計算されるチャネル推定に基づき得る。次いで、軟判定は、データ信号、制御信号、および参照信号を復元するために、復号されてデインターリーブされる。次いで、フレームの復号が成功したかどうかを判断するために、CRCコードが確認される。次いで、復号に成功したフレームによって搬送されるデータがデータシンク372に与えられ、データシンク372は、UE350および/または様々なユーザインターフェース(たとえばディスプレイ)において実行されているアプリケーションを表す。復号に成功したフレームが搬送する制御信号は、コントローラ/プロセッサ390に与えられる。受信プロセッサ370によるフレームの復号が失敗すると、コントローラ/プロセッサ390は、確認応答(ACK)プロトコルおよび/または否定応答(NACK)プロトコルを用いて、そうしたフレームの再送信要求をサポートすることもできる。
【００２１】
アップリンクでは、データソース378からのデータおよびコントローラ/プロセッサ390からの制御信号が、送信プロセッサ380に与えられる。データソース378は、UE350で実行されているアプリケーションおよび様々なユーザインターフェース(たとえばキーボード)を表し得る。ノードB310によるダウンリンク送信に関して説明される機能と同様に、送信プロセッサ380は、CRCコード、FECを容易にするためのコーディングおよびインターリービング、信号配列へのマッピング、OVSFによる拡散、および、一連のシンボルを生成するためのスクランブリングを含む、様々な信号処理機能を提供する。ノードB310によって送信される参照信号から、または、ノードB310によって送信されるミッドアンブル中に含まれるフィードバックから、チャネルプロセッサ394によって導出されるチャネル推定が、適切なコーディング方式、変調方式、拡散方式、および/またはスクランブリング方式を選択するために、使用され得る。送信プロセッサ380によって生成されたシンボルは、フレーム構造を作成するために、送信フレームプロセッサ382に与えられる。送信フレームプロセッサ382は、コントローラ/プロセッサ390からのミッドアンブル(図2)とシンボルとを多重化することによって、このフレーム構造を作成し、一連のフレームが得られる。次いでこのフレームは送信機356に与えられ、送信機356は、アンテナ352を通じたワイヤレス媒体によるアップリンク送信のために、増幅、フィルタリング、およびフレームのキャリア上への変調を含む、様々な信号調整機能を提供する。
【００２２】
アップリンク送信は、UE350において受信機能に関して説明された方式と同様の方式で、ノードB310において処理される。受信機335は、アンテナ334を通じてアップリンク送信を受信し、その送信を処理してキャリア上へ変調されている情報を復元する。受信機335によって復元された情報は、受信フレームプロセッサ336に与えられ、受信フレームプロセッサ336は、各フレームを解析し、ミッドアンブル(図2)をチャネルプロセッサ344に提供し、データ信号、制御信号、および参照信号を受信プロセッサ338に提供する。受信プロセッサ338は、UE350中の送信プロセッサ380によって実行される処理の逆を実行する。次いで、復号に成功したフレームによって搬送されるデータ信号および制御信号が、データシンク339およびコントローラ/プロセッサにそれぞれ与えられ得る。フレームの一部が、受信プロセッサによる復号に失敗すると、コントローラ/プロセッサ340は、確認応答(ACK)プロトコルおよび/または否定応答(NACK)プロトコルを用いて、そうしたフレームの再送信要求をサポートすることもできる。
【００２３】
コントローラ/プロセッサ340および390は、それぞれノードB310およびUE350における動作を指示するために使用され得る。たとえば、コントローラ/プロセッサ340および390は、タイミング、周辺インターフェース、電圧調整、電力管理、および他の制御機能を含む、様々な機能を提供することができる。メモリ342および392のコンピュータ可読媒体は、それぞれ、ノードB310およびUE350のためのデータおよびソフトウェアを記憶することができる。たとえば、UE350のメモリ392は、コントローラ/プロセッサ390によって実行されるとき、ハンドオーバ実行フェーズ中にIRAT測定を行うようにUE350を構成する同期チャネル(SCH)タイミングモジュール391を含み得る。ノードB310におけるスケジューラ/プロセッサ346は、リソースをUEに割り振り、UEのダウンリンク送信および/またはアップリンク送信をスケジュールするために、使用され得る。
【００２４】
図4は、TD-SCDMAネットワークなど、新しく展開されたネットワークカバレージ、またGSM(登録商標)ネットワークなど、より確立されたネットワークのカバレージを示す。地理的領域400が、GSM(登録商標)セル402と、TD-SCDMAセル404とを含み得る。ユーザ機器(UE)406が、TD-SCDMAセル404などの1つのセルから、GSM(登録商標)セル402などの別のセルへ移動し得る。UE406の移動は、ハンドオーバまたはセル再選択を指定し得る。
【００２５】
UEがTD-SCDMAセル404のカバレージエリアからGSM(登録商標)セル402のカバレージエリアへ、またはその反対方向に、ハンドオーバまたはセル再選択が行われ得る。TD-SCDMAネットワークにカバレージホールがあるもしくはカバレージがないとき、またはTD-SCDMAネットワークとGSM(登録商標)ネットワークとの間にトラフィック分散(traffic balancing)があるときもまた、ハンドオーバまたはセル再選択が行われ得る。そのハンドオーバまたはセル再選択プロセスの一部として、第1のシステム(たとえば、TD-SCDMA)との接続モードでありながら、UEが(GSM(登録商標)セルなどの)隣接セルの測定を行うように指定され得る。たとえば、UEは、信号強度、周波数チャネル、および基地局識別コード(BSIC)を求めて、第2のネットワークの隣接セルを測定し得る。UEは、その後第2のネットワークの最も強いセルに接続し得る。そのような測定は、無線アクセス技術間(IRAT:inter radio access technology)測定と呼ばれることがある。
【００２６】
UEは、UEによって行われたIRAT測定の結果を示す測定レポートをサービングセルに送ることができる。サービングセルは、その後、測定レポートに基づいて他のRATの新しいセルへのUEのハンドオーバをトリガすることができる。トリガすることは、異なるRATの測定間の比較に基づくことができる。測定は、パイロットチャネル(たとえば、1次共通制御物理チャネル(P-CCPCH:primary common control physical channel))用の受信信号コード電力(RSCP:received signal code power)などの、TD-SCDMAサービングセル信号強度を含み得る。信号強度は、サービングシステムしきい値と比較される。サービングシステムしきい値は、ネットワークからの専用無線リソース制御(RRC)シグナリングを通じてUEに示され得る。測定は、GSM(登録商標)隣接セル受信信号強度インジケータ(RSSI)も含み得る。隣接セル信号強度は、隣接システムしきい値と比較され得る。ハンドオーバまたはセル再選択の前に、測定プロセスに加えて、基地局ID(たとえば、BSIC)が確認および再確認される。
【００２７】
UEがTD-SCDMA専用チャネル(DCH)モードであるとき、BSIC確認/再確認プロセスの間、UEは、利用可能なアイドルタイムスロット内で最初のBSIC識別をトリガする。最初の基地局識別コード(BSIC)識別は、TDDとGSM(登録商標)セルとの間の相対的タイミングに関する知識がないので初めてBSICを検索することと、BSICを復号することとを含む。
【００２８】
GSM(登録商標)セルのBSICは、UEが報知制御チャネル(BCCH:broadcast control channel)キャリアの同期チャネル(SCH)を復号し、あらかじめ定義された時間期間内で少なくとも1回BSICを識別したとき(すなわち、最初のBSIC識別)、「検証される」(すなわち、確認される)。たとえば、1つの態様では、時間期間(Tidentify abort)は、長さ5秒と定義され得る。最初のBSIC識別の後、BSICは、あらかじめ定義された時間期間ごとに少なくとも1度再確認される。たとえば、あらかじめ定義された時間期間(Tidentify abort)は、5秒と定義され得る。その他の場合、GSM(登録商標)セルのBSICは、「検証されない(non-verified)」セルと見なされる。
【００２９】
最初のタイミング情報は、最初のBSIC識別手続きから取得される。一般に、UEが、少なくとも8個の(8)識別されたGSM(登録商標)セルのタイミング情報を維持する。タイミング情報はその後、BSICが復号されるたびに更新される。
【００３０】
UEが2つの連続した試み後にBSICの復号に失敗するとき、またはUEがあらかじめ定義された期間内にGSM(登録商標)報知制御チャネル(BCCH)キャリアに対してBSICを再確認できなかったとき、UEは、GSM BCCHキャリアに対するBSIC再確認試みを中止させる(たとえば、Tre-confirm_abort)。BSIC再確認試みを中止させた後、GSM BCCHキャリアは、識別されないBSICを有する新しいGSM BCCHキャリアとして扱われ、UEはそのGSM BCCHキャリアに対する最初のBSIC復号手続きに戻る。
【００３１】
TD-SCDMAサービングセルとGSM(登録商標)隣接セルとの間の相対的タイミングが不明であるので、最初のBSIC識別手続きを行うために、長い期間(たとえば、最大5秒)がかかる可能性がある。最初のBSIC識別手続きは、完全ブラインド周波数補正チャネル(FCCH)トーン検出を含む。トーン検出は、GSM(登録商標)セルのサブフレーム境界(subframe boundary)を決定するために行われる。
【００３２】
図5は、例示的なGSM(登録商標)フレーム周期を示す。各GSM(登録商標)フレーム周期が、周波数補正チャネル502と、同期チャネル(SCH)504と、報知制御チャネル(BCCH)と、共通制御チャネル(CCCH)と、アイドルタイムスロットIとを含む。ブロック図500の下部にある数字は、秒単位である。1つの構成では、FCCH502の各ブロックが、8タイムスロットを含み、最初のタイムスロット(すなわちTS0)のみがFCCHトーン検出に使用される。
【００３３】
図5に示すチャネルのタイミングは、BSIC識別手続きにおいて決定され得る。BSIC識別手続きは、FCCH502で搬送される固定ビットシーケンスに基づいたFCCH502の検出を含み得る。FCCHトーン検出は、複数のRAT間の相対的タイミングを見いだすために行われる。FCCHトーン検出は、SCH504がFCCH502よりも第1のフレーム数または第2のフレーム数のいずれか後の時間にあることに基づかれ得る。FCCH502の位置が決定されると、その後同期チャネル(SCH)504の位置が決定され得る。SCH504は、BSICを搬送する。同期チャネル(SCH)504の位置は、FCCH502よりも11+n*10GSM(登録商標)フレームまたは12+n*10GSM(登録商標)フレームのいずれか後である。アイドルタイムスロットは、SCHが測定ギャップまたはアイドルタイムスロット内に完全に入るとき、SCHを復号するようにスケジュールされ得る。
【００３４】
相対的タイミングは、識別されたGSM(登録商標)セルと第2のRATとの間、識別されたGSM(登録商標)セルとUE内部タイミングとの間、または識別されたGSM(登録商標)セルと全地球測位システム(GPS)タイミングとの間であり得ることは、当業者には理解されよう。
【００３５】
UEがGSM(登録商標)隣接セルに近いとき、これらのGSM(登録商標)セルのBSICは、一般に「検証」に成功する。UEがこれらの同じGSM(登録商標)セルから離れて行くとき、およびUEが2つの連続した試み後にBSICの復号に失敗するとき、GSM BCCHキャリアのそれぞれが、識別されないBSICおよびTD-SCDMAセルとGSM(登録商標)セルとの間の不明の相対的タイミングを有する新しいGSM BCCHキャリアとして扱われる。UEが同じ場所(これらのGSM(登録商標)セル近く)に戻るとき、最初のBSIC識別は、完全ブラインド検索のために長い時間がかかる。
【００３６】
本開示の1つの態様は、BSICタイミング情報の長期の記憶に向けられる。各GSM(登録商標)セルが、TD-SCDMAセルに対する相対的タイミングを有する。1つの態様では、UEがBSICの確認/再確認に成功するたびに、UEは、隣接セルの相対的BSICタイミングを記憶する。その後、次にUEが隣接セルのBSIC識別を行うとき、UEは周波数番号識別によって隣接セルを識別する。UEは、BSICが以前に使用されたかどうかを決定するために、特定の周波数番号がデータベース/メモリに記憶されているかどうかを検証する。特定の周波数番号が記憶されている場合、UEは記憶されているタイミング情報を使用して、SCHを復号し、FCCHトーン検出手続きをスキップすることができる。言い換えれば、UEは、トーン検出フェーズをスキップし、代わりに、記憶されているタイミング情報に基づいてBSICを再確認する。
【００３７】
記憶されているタイミング情報が正しくない場合、UEは、BSIC再確認試みを中止させる。1つの例では、UEが2つの連続した試み後にBSICの復号に失敗するとき、またはUEがBSICを再確認できなかったとき、記憶されているタイミング情報は正しくない。
【００３８】
したがって、本開示の態様によれば、TD-SCDMAサービングセルとGSM(登録商標)隣接セルとの間の相対的タイミングが記録される。詳細には、最大N個のGSM(登録商標)セルの相対的タイミングが記録される。N個のGSM(登録商標)セルの測定された受信信号強度インジケータ(RSSI)が、あらかじめ定義されたしきい値を超えるとき、UEは、やみくもに(blindly)検索するのではなく、記録されたタイミング情報プラス不確定タイム幅(uncertain time margin)を利用して、最初のGSM BSIC識別のためにアイドルタイムスロットをスケジュールする。不確定タイム幅は、タイミングのずれ、正しくないタイミングなどを補正するために利用される。
【００３９】
別の態様では、BSIC確認手続きが失敗する場合、メモリは、そのセルの記憶されているGSM(登録商標)タイミング情報をクリアされる。さらに別の態様では、RSSI測定は、絶対無線周波数チャネル番号(ARFCN:absolute radio frequency channel number)を使用して検出され得る。
【００４０】
相対的タイミングを記憶することによって、タイミングは、電力アップ中に、およびサービングセルを解放した後にも、利用可能であり得る。1つの構成では、記憶することは、UEがアイドルモードであるときに行われる。記憶は、長期記憶であり得る。記憶が長期記憶であるかどうかにかかわらず、相対的タイミングは、UE状態にわたって記憶され得る。たとえば、記憶することは、UEがアイドルモードであるとき行われることが可能であり、UEが電源をオフにし、その後電源をオンに戻すとき、維持されることが可能である。
【００４１】
図6は、本開示の一態様によるワイヤレス通信方法600を示す。ブロック602において、UEが、識別された各GSM(登録商標)セルに対して、同期チャネル(SCH)タイミングを記憶する。ブロック604において、UEは、FCCHトーン検出および最初のBSIC確認なしで、記憶されたSCHタイミングを使用して、識別されたGSM(登録商標)セルに対して基地局識別コード(BSIC)再確認を行う。記憶されたSCHタイミングは、複数のユーザ機器(UE)状態にわたって維持される。UE状態は、接続がない無線リソース制御(RRC)アイドルモードを含み得る。RRC接続モードのUE状態は、電力消費の大きい順に、専用チャネル(DCH)、順方向アクセスチャネル(FACH)、およびページングチャネル(PCH)である。
【００４２】
図7は、SCHタイミング情報を記憶するためのシステム714を用いる装置700のハードウェア実装形態の一例を示す図である。システム714は、バス724によって全般に表されるバスアーキテクチャで実装され得る。バス724は、システム714の具体的な用途および全体的な設計制約に応じて、任意の数の相互接続するバスおよびブリッジを含み得る。バス724は、プロセッサ722、記憶モジュール702、BSICモジュール704、保守モジュール706、およびコンピュータ可読媒体726によって表される、1つまたは複数のプロセッサおよび/またはハードウェアモジュールを含む様々な回路を一緒にリンクする。バス724は、タイミングソース、周辺機器、電圧調整器、および電力管理回路などの様々な他の回路をリンクさせることもでき、これらの回路は当技術分野でよく知られており、したがってこれ以上は説明しない。
【００４３】
装置は、トランシーバ730に結合されたシステム714を含む。トランシーバ730は、1つまたは複数のアンテナ720に結合される。トランシーバ730は、送信媒体を介した様々な他のデバイスとの通信を可能にする。システム714は、コンピュータ可読媒体726に結合されたプロセッサ722を含む。プロセッサ722は、コンピュータ可読媒体726上に記憶されたソフトウェアの実行を含む全般的な処理を担う。ソフトウェアは、プロセッサ722によって実行されると、いずれか特定の装置について述べる様々な機能をシステム714に実行させる。コンピュータ可読媒体726は、ソフトウェアを実行するときにプロセッサ722によって操作されるデータを記憶するためにも使用され得る。
【００４４】
システム714は、識別された各GSM(登録商標)セルに対して、同期チャネル(SCH)タイミングを記憶するための記憶モジュール702を含む。システム714は、FCCHトーン検出および最初のBSIC確認なしで、SCHタイミングを使用して、識別されたセルに対してBSIC再確認を行うためのBSICモジュール704も含む。システム714は、複数のUE状態にわたってSCHタイミングを維持するための保守モジュール706も含む。モジュールは、コンピュータ可読媒体726に常駐する/記憶される、プロセッサ722で動作しているソフトウェアモジュール、プロセッサ722に結合された1つもしくは複数のハードウェアモジュール、またはそれらの何らかの組合せとすることができる。システム714は、UE350の構成要素であってよく、メモリ392、および/またはコントローラ/プロセッサ390を含むことが可能である。
【００４５】
一構成では、UEなどの装置は、記憶するための手段を含むワイヤレス通信のために構成される。一態様では、前述の手段は、前述の手段によって具陳される機能を実行するように構成されたコントローラ/プロセッサ390、メモリ392、SCHタイミングモジュール391、記憶モジュール702、プロセッサ722、および/またはシステム714であり得る。別の態様では、上記の手段は、上記の手段によって具陳される機能を実行するように構成されたモジュールまたは任意の装置であり得る。
【００４６】
一構成では、UEなどの装置は、実行するための手段を含むワイヤレス通信のために構成される。一態様では、前述の手段は、前述の手段によって具陳される機能を実行するように構成されたアンテナ352、受信機354、チャネルプロセッサ394、受信プロセッサ370、送信機356、送信プロセッサ380、コントローラ/プロセッサ390、メモリ392、SCHタイミングモジュール391、BSICモジュール704、プロセッサ722、および/またはシステム714であり得る。別の態様では、上記の手段は、上記の手段によって具陳される機能を実行するように構成されたモジュールまたは任意の装置であり得る。
【００４７】
一構成では、UEなどの装置は、維持するための手段を含むワイヤレス通信のために構成される。一態様では、前述の手段は、前述の手段によって具陳される機能を実行するように構成されたコントローラ/プロセッサ390、メモリ392、SCHタイミングモジュール391、保守モジュール706、プロセッサ722、および/またはシステム714であり得る。別の態様では、上記の手段は、上記の手段によって具陳される機能を実行するように構成されたモジュールまたは任意の装置であり得る。
【００４８】
TD-SCDMAおよびGSM(登録商標)を参照して、電気通信システムのいくつかの態様を示してきた。当業者が容易に諒解するように、本開示全体にわたって説明する様々な態様は、他の電気通信システム、ネットワークアーキテクチャおよび通信規格に拡張され得る。例として、様々な態様は、他のUMTSシステム、たとえばW-CDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、Long Term Evolution(LTE)(FDD、TDD、またはこれら両方のモードによる)、LTE-Advanced(LTE-A)(FDD、TDD、またはこれら両方のモードによる)、CDMA2000、Evolution-Data Optimized(EV-DO)、Ultra Mobile Broadband(UMB)、IEEE 802.11(Wi-Fi)、IEEE 802.16(WiMAX)、IEEE 802.20、Ultra-Wideband(UWB)、Bluetooth(登録商標)、および/または他の適切なシステムを利用するシステムに拡張され得る。実際の利用される電気通信規格、ネットワークアーキテクチャ、および/または通信規格は、具体的な用途およびシステムに課される全体的な設計制約に依存する。
【００４９】
様々な装置および方法に関連して、いくつかのプロセッサが説明されてきた。これらのプロセッサは、電子ハードウェア、コンピュータソフトウェア、またはそれらの任意の組合せを使用して実装され得る。そのようなプロセッサがハードウェアとして実装されるか、ソフトウェアとして実装されるかは、具体的な用途およびシステムに課される全体的な設計制約に依存する。例として、プロセッサ、プロセッサの任意の部分、または、本開示で提示されるプロセッサの任意の組合せは、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および、本開示全体にわたって説明された様々な機能を実行するように構成された他の適切な処理構成要素で実装され得る。プロセッサ、プロセッサの任意の部分、または本開示で提示されるプロセッサの任意の組合せの機能は、マイクロプロセッサ、マイクロコントローラ、DSP、または他の適切なプラットフォームによって実行されているソフトウェアで実装され得る。
【００５０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアはコンピュータ可読媒体上に存在し得る。コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、またはリムーバブルディスクなどのメモリを含み得る。メモリは、本開示全体で提示される様々な態様ではプロセッサとは別々に示されているが、メモリはプロセッサの内部にあってよい(たとえば、キャッシュまたはレジスタ)。
【００５１】
コンピュータ可読媒体は、コンピュータプログラム製品で具現化され得る。例として、コンピュータプログラム製品は、パッケージング材料内のコンピュータ可読媒体を含み得る。当業者は、具体的な用途およびシステム全体に課される全体的な設計制約に応じて、本開示全体にわたって示される説明する機能を最善の形で実装する方法を認識するだろう。
【００５２】
開示した方法におけるステップの特定の順序または階層は例示的なプロセスを示していることを理解されたい。設計上の選好に基づいて、方法におけるステップの特定の順序または階層は再構成可能であることを理解されたい。添付の方法クレームは、サンプル的順序で様々なステップの要素を提示しており、クレーム内で明記していない限り、提示した特定の順序または階層に限定されるように意図されているわけではない。
【００５３】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を指す。項目の列挙「のうちの少なくとも1つ」という語句は、単一の要素を含め、それらの項目の任意の組合せを指す。一例として、「a、bまたはcのうちの少なくとも1つ」は、「a」、「b」、「c」、「aおよびb」、「aおよびc」、「bおよびc」、「a、bおよびc」を含むことが意図されている。当業者が知っているか、後に知ることになる、本開示全体にわたって説明された様々な態様の要素と構造的かつ機能的に同等のものはすべて、参照により本明細書に明確に組み込まれ、特許請求の範囲によって包含されることが意図される。その上、本明細書で開示する内容は、そのような開示が特許請求の範囲で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【００５４】
100  装置
102、300  無線アクセスネットワーク(RAN)
104  コアネットワーク(CN)
106  無線ネットワークコントローラ(RNC)
108  ノードB
110、350  ユーザ機器(UE)
112  モバイル交換センター(MSC)
114  ゲートウェイMSC(GMSC)
116  回線交換ネットワーク
118  サービングGPRSサポートノード(SGSN)
120  ゲートウェイGPRSサポートノード(GGSN)
122  パケットベースネットワーク
200  フレーム構造
202  フレーム
204  サブフレーム
206  ダウンリンクパイロットタイムスロット(DwPTS)
208、216  ガード期間(GP)
210  アップリンクパイロットタイムスロット(UpPTS)
212  データ部分
214  ミッドアンブル
218  同期シフト(SS)
310  ノードB、ノード
312、378  データソース
320、380  送信プロセッサ
330、382  送信フレームプロセッサ
332、356  送信機
334、352  アンテナ、スマートアンテナ
335、354  受信機
336、360  受信フレームプロセッサ
338、370  受信プロセッサ
339、372  データシンク
340、390  コントローラ/プロセッサ
342、392  メモリ
344、394  チャネルプロセッサ
346  スケジューラ/プロセッサ
400  地理的領域
402  GSM(登録商標)セル
404  TD-SCDMA
406  ユーザ機器
600  ワイヤレス通信方法
700  装置
702  記憶モジュール
704  BSICモジュール
706  保守モジュール
714  システム
720  アンテナ
722  プロセッサ
726  コンピュータ可読媒体
730  トランシーバ
【図１】
2016532353.tif 000003
【図２】
2016532353.tif 000004
【図３】
2016532353.tif 000005
【図４】
2016532353.tif 000006
【図５】
2016532353.tif 000007
【図６】
2016532353.tif 000008
【図７】
2016532353.tif 000009
【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器によって、識別されたモバイル通信用グローバルシステム(GSM(登録商標))セルに対する同期チャネル(SCH)タイミングを、基地局識別コード(BSIC)を最初のBSIC識別手続き中に前記識別されたGSM(登録商標)セルに対して確認/再確認することに成功したときには、記憶するステップであって、前記最初のBSIC識別手続きが周波数補正チャネル(FCCH)トーン検出を含む、ステップと、
後続のBSIC手続きを行う前に、前記GSM(登録商標)セルを識別し、前記識別されたGSM(登録商標)セルに対するSCHタイミング情報が前記UEによって以前使用および記憶されていたかを決定するステップと、
SCHを復号して前記識別されたGSM(登録商標)セルの前記BSICを再確認するために前記記憶されたSCHタイミングを使用するとともに、周波数補正チャネル(FCCH)トーン検出および最初のBSICの確認の両方をスキップすることによって、前記識別されたGSM(登録商標)セルに対する前記後続の基地局識別コード(BSIC)手続きを行うステップと、
複数のユーザ機器(UE)状態にわたって前記記憶されたSCHタイミングを維持するステップと
を含む、方法。
【請求項２】
前記後続のBSIC識別手続きが選択されたGSM(登録商標)セルに対する前記BSICを再確認することに失敗したときには、前記選択されたGSM(登録商標)セルに対して記憶されたSCHタイミングをクリアするステップをさらに含む、請求項1に記載の方法。
【請求項３】
前記タイミングが、前記識別されたGSM(登録商標)セルと、第2のRATのセル、UE内部タイミング、または全地球測位システム(GPS)タイミングのうちの相対的タイミングのうちの1つとの間の相対的タイミングを含む、請求項1に記載の方法。
【請求項４】
アイドルタイムスロットをスケジュールするために前記記憶されたSCHタイミング情報を使用することによって、非ブラインド周波数補正チャネル(FCCH)トーン検出を行うステップをさらに含む、請求項1に記載の方法。
【請求項５】
前記UE状態が、アイドルモード、ページングチャネル(PCH)モード、順方向アクセスチャネル(FACH)モード、専用チャネル(DCH)状態、および電源オフのうちの少なくとも1つを含む、請求項1に記載の方法。
【請求項６】
ワイヤレス通信のための装置であって、
識別されたモバイル通信用グローバルシステム(GSM(登録商標))セルに対する同期チャネル(SCH)タイミングを、基地局識別コード(BSIC)を最初のBSIC識別手続き中に前記識別されたGSM(登録商標)セルに対して確認/再確認することに成功したときには、記憶するための手段であって、前記最初のBSIC識別手続きが周波数補正チャネルトーン検出を含む、手段と、
後続のBSIC手続きを行う前に、前記GSM(登録商標)セルを識別し、前記識別されたGSM(登録商標)セルに対するSCHタイミング情報が以前使用および記憶されていたかを決定するための手段と、
SCHを復号して前記識別されたGSM(登録商標)セルの前記BSICを再確認するために前記記憶されたSCHタイミングを使用するとともに、周波数補正チャネル(FCCH)トーン検出および最初のBSICの確認の両方をスキップすることによって、前記識別されたGSM(登録商標)セルに対する前記後続の基地局識別コード(BSIC)手続きを行うための手段と、
複数のユーザ機器(UE)状態にわたって前記記憶されたSCHタイミングを維持するための手段と
を含む、装置。
【請求項７】
前記後続のBSIC識別手続きが選択されたGSM(登録商標)セルに対する前記BSICを再確認することに失敗したときには、前記選択されたGSM(登録商標)セルに対して記憶されたSCHタイミングをクリアするための手段をさらに含む、請求項6に記載の装置。
【請求項８】
前記タイミングが、前記識別されたGSM(登録商標)セルと、第2のRATのセル、UE内部タイミング、または全地球測位システム(GPS)タイミングのうちの1つとの間の相対的タイミングを含む、請求項6に記載の装置。
【請求項９】
アイドルタイムスロットをスケジュールするために前記記憶されたSCHタイミング情報を使用することによって、非ブラインド周波数補正チャネル(FCCH)トーン検出を行うための手段をさらに含む、請求項6に記載の装置。
【請求項１０】
前記UE状態が、アイドルモード、ページングチャネル(PCH)モード、順方向アクセスチャネル(FACH)モード、専用チャネル(DCH)状態、および電源オフのうちの少なくとも1つを含む、請求項6に記載の装置。
【請求項１１】
ワイヤレスネットワークにおけるワイヤレス通信のためのコンピュータプログラムであって、
前記コンピュータプログラムが非一時的コンピュータ可読媒体に記憶されたプログラムコードを含み、前記プログラムコードが、
識別されたモバイル通信用グローバルシステム(GSM(登録商標))セルに対する同期チャネル(SCH)タイミングを、基地局識別コード(BSIC)を最初のBSIC識別手続き中に前記識別されたGSM(登録商標)セルに対して確認/再確認することに成功したときには、記憶するためのプログラムコードであって、前記最初のBSIC識別手続きが周波数補正チャネルトーン検出を含む、プログラムコードと、
後続のBSIC手続きを行う前に、前記GSM(登録商標)セルを識別し、前記識別されたGSM(登録商標)セルに対するSCHタイミング情報が以前使用および記憶されていたかを決定するためのプログラムコードと、
SCHを復号して前記識別されたGSM(登録商標)セルの前記BSICを再確認するために前記記憶されたSCHタイミングを使用するとともに、周波数補正チャネル(FCCH)トーン検出および最初のBSICの確認の両方をスキップすることによって、前記識別されたGSM(登録商標)セルに対する前記後続の基地局識別コード(BSIC)手続きを行うためのプログラムコードと、
複数のユーザ機器(UE)状態にわたって前記記憶されたSCHタイミングを維持するためのプログラムコードと
を含む、コンピュータプログラム。
【請求項１２】
前記後続のBSIC識別手続きが選択されたGSM(登録商標)セルに対する前記BSICを再確認することに失敗したときには、前記選択されたGSM(登録商標)セルに対して記憶されたSCHタイミングをクリアするためのプログラムコードをさらに含む、請求項11に記載のコンピュータプログラム。
【請求項１３】
前記タイミングが、前記識別されたGSM(登録商標)セルと、第2のRATのセル、UE内部タイミング、または全地球測位システム(GPS)タイミングのうちの1つとの間の相対的タイミングを含む、請求項11に記載のコンピュータプログラム。
【請求項１４】
アイドルタイムスロットをスケジュールするために前記記憶されたSCHタイミング情報を使用することによって、非ブラインド周波数補正チャネル(FCCH)トーン検出を行うためのプログラムコードをさらに含む、請求項11に記載のコンピュータプログラム。
【請求項１５】
前記UE状態が、アイドルモード、ページングチャネル(PCH)モード、順方向アクセスチャネル(FACH)モード、専用チャネル(DCH)状態、および電源オフのうちの少なくとも1つを含む、請求項11に記載のコンピュータプログラム。
【請求項１６】
ワイヤレス通信のための装置であって、
メモリと、
前記メモリに結合された少なくとも1つのプロセッサとを含み、前記少なくとも1つのプロセッサが、
識別されたモバイル通信用グローバルシステム(GSM(登録商標))セルに対する同期チャネル(SCH)タイミングを、基地局識別コード(BSIC)を最初のBSIC識別手続き中に前記識別されたGSM(登録商標)セルに対して確認/再確認することに成功したときには、記憶し、
後続のBSIC手続きを行う前に、前記GSM(登録商標)セルを識別し、前記識別されたGSM(登録商標)セルに対するSCHタイミング情報が以前使用および記憶されていたかを決定し、
SCHを復号して前記識別されたGSM(登録商標)セルの前記BSICを再確認するために前記記憶されたSCHタイミングを使用するとともに、周波数補正チャネル(FCCH)トーン検出および最初のBSICの確認の両方をスキップすることによって、前記識別されたGSM(登録商標)セルに対する前記後続の基地局識別コード(BSIC)手続きを行い、
複数のユーザ機器(UE)状態にわたって前記記憶されたSCHタイミングを維持する
ように構成され、
前記最初のBSIC識別手続きが周波数補正チャネルトーン検出を含む、装置。
【請求項１７】
前記少なくとも1つのプロセッサが、前記後続のBSIC識別手続きが選択されたGSM(登録商標)セルに対する前記BSICを再確認することに失敗したときには、前記選択されたGSM(登録商標)セルに対して記憶されたSCHタイミングをクリアするようにさらに構成された、請求項16に記載の装置。
【請求項１８】
前記タイミングが、前記識別されたGSM(登録商標)セルと、第2のRATのセル、UE内部タイミング、または全地球測位システム(GPS)タイミングのうちの1つとの間の相対的タイミングを含む、請求項16に記載の装置。
【請求項１９】
前記少なくとも1つのプロセッサが、アイドルタイムスロットをスケジュールするために前記記憶されたSCHタイミング情報を使用することによって、非ブラインド周波数補正チャネル(FCCH)トーン検出を行うようにさらに構成された、請求項16に記載の装置。
【請求項２０】
前記UE状態が、アイドルモード、ページングチャネル(PCH)モード、順方向アクセスチャネル(FACH)モード、専用チャネル(DCH)状態、および電源オフのうちの少なくとも1つを含む、請求項16に記載の装置。
【国際調査報告】
2016532353.tif 000010
2016532353.tif 000011
2016532353.tif 000012